(57)【要約】【課題】長期間高温で点灯した場合にでも口金の表面腐食しにくい白熱電球を提供する。【解決手段】電球１０は、ガラスバルブ１と、このガラスバルブ１内に導入線４，４を介して封装されたフィラメント６と、導入線４，４と電気的に接続されてガラスバルブ１に装着され、外表面に厚さ０．０１〜０．５μｍの金（Ａｕ）めっきが施されている口金８とを具備しており、長期間高温で点灯した場合でも口金表面が酸化等によって腐食しにくくなり、寿命到達後の白熱電球をソケットからの容易に取り外すことが可能となる。【選択図】図１
2006222048.tif 000002
【特許請求の範囲】
【請求項１】
ガラスバルブと；
このガラスバルブ内に導入線を介して封装されたフィラメントと；
導入線と電気的に接続されてガラスバルブに装着され、外表面に厚さ０．０１〜０．５μｍの金（Ａｕ）めっきが施されている口金と；
を具備していることを特徴とする白熱電球。
【請求項２】
器具本体と；
この器具本体に設けられたソケットと；
このソケットに装着された請求項２記載の白熱電球と；
を具備していることを特徴とする照明装置。
【発明の詳細な説明】
【技術分野】
【０００１】
本発明は白熱電球および照明装置に関する。
【背景技術】
【０００２】
電球は、タングステン線を巻回したコイル状のフィラメントに通電してこれを発光させている。そして、このフィラメントの温度が高いほど発光効率は高まるが、高温度になるほどフィラメントのタングステンの蒸発も促進され、フィラメントが次第に痩せて細くなる部分が生じ、これらの部分から断線して電球は寿命に至る。
【０００３】
寿命となった電球は、新品と交換するためにソケットから外されるが、長期間の接続と点灯時の高温によって口金の表面が酸化等によって腐食し、この腐食した部分がソケットの受け金に強固に固着して電球が取り外し難くなることがあった。
【０００４】
電球の口金表面の酸化を防止するために、口金表面にニッケルメッキ層を被覆した電球が知られている（特許文献１参照）。
【特許文献１】特開平１１−１６４８６号公報
【発明の開示】
【発明が解決しようとする課題】
【０００５】
しかしながら、消費電力特性や寿命特性を向上させるためにクリプトンやキセノンといった希ガスを所定量封入した白熱電球やハロゲン物質を封入したハロゲン電球等は、点灯中のフィラメント温度が高く、口金の温度も相対的に上昇する関係から、上記特許文献１のニッケルメッキ層を被覆した口金でも酸化しやすいので、耐蝕性を一層向上させる要求が高まっている。
【０００６】
また、特殊なガスが封入して消費電力特性や寿命特性を向上させた電球は、主として窒素ガス（Ｎ2）等の不活性ガスが封入された一般白熱電球に比べて高品質で価格も高い高付加価値商品であるが、外観上は一般白熱電球と変わらない場合が多く、消費者が商品を選択する際に一般白熱電球と混同しやすかった。
【０００７】
本発明は、上記事情に鑑みなされたものであり、長期間高温で点灯した場合にでも口金の表面腐食しにくい白熱電球を提供することを目的とする。
【課題を解決するための手段】
【０００８】
請求項１の発明の電球は、ガラスバルブと；このガラスバルブ内に導入線を介して封装されたフィラメントと；導入線と電気的に接続されてガラスバルブに装着され、外表面に厚さ０．０１〜０．５μｍの金（Ａｕ）めっきが施されている口金と；を具備していることを特徴とする。
【０００９】
本発明および以下の各発明において、特に指定しない限り、用語の定義および技術的な意味は次による。
【００１０】
ガラスバルブは、ＰＳ形、Ｓ形、Ｒ形、Ｇ形などその形状は限らず、また、材質もソーダ石灰ガラスなどの軟質ガラスから硼ケイ酸塩ガラスなどの硬質ガラスあるいは石英ガラスであっても適用できる。また、バルブにはシリカ膜などの散光処理がしてあってもよい。さらに、ガラスバルブの表面には必要に応じ光拡散膜や反射膜、着色膜等が形成してあってもよい。
【００１１】
フィラメントは、タングステン等の高融点金属製の素線をコイル状に巻回して構成されたものであり、通電時に高温となって白熱発光する発光部が一重または二重もしくは三重のコイル状に巻回されたものである。
【００１２】
口金は、ガラスバルブに装着されるものであるが、口金自体が直接ガラスバルブに被着されるものの他、セラミックス製の支持部材等の中間部材を介して間接的に装着されるものであってもよい。
【００１３】
口金は、Ｅ形と称されるねじ込みタイプのエジソンベースの他に、ピンタイプやスワンタイプなどであってもよく、高温によっても酸化などの腐食が進行し難い金（Ａｕ）めっきが形成可能な電気的接続部分を備えていればよい。ただし、電気的接続部分の腐食がソケットからの取り外し作業に影響しやすい観点からはＥ形口金に適用するのがもっとも効果的である。また、高付加価値商品であることを消費者に対してアピールする目的も兼ねて使用する場合には、比較的大きい電気的接続部分であるシェル部に金（Ａｕ）めっきを施すことによって装飾効果が顕著に現れることから、Ｅ形口金に適用するのが好ましい。
【００１４】
口金の金（Ａｕ）めっきの厚さは０．０１〜０．５μｍとする必要がある。めっきの厚さは０．０１μｍ未満の場合には、耐蝕性が従来のニッケルめっき層よりも金（Ａｕ）めっき層による腐食防止効果が発揮されないため不可である。また、も金（Ａｕ）めっきを高付加価値商品であることを識別可能にする目的で使用する場合には、めっきの厚さは０．０１μｍ未満であると、金（Ａｕ）特有の色調または質感が失われてしまう。めっきの厚さが０．５μｍを超えると、腐食防止効果が期待できるが、購入価格が高い金（Ａｕ）材料の使用量が多くなって製品コストが向上するため不可である。
【００１５】
なお、請求項１の口金は、高温点灯による口金の腐食を効果的に抑制することができるので、こうした課題を有する管球、例えばＨＩＤランプ等の高圧放電ランプや蛍光ランプに適用しても同様な効果を奏することが可能である。
【００１６】
請求項２の照明装置は、器具本体と；この器具本体に設けられたソケットと；このソケットに装着された請求項１記載の白熱電球と；を具備していることを特徴とする。
【００１７】
照明装置は、一般家庭や店舗などで使用されるペンダント、ブラケット、スタンドなどの器具の他、電球を使用するあらゆる照明装置を許容する。
【発明の効果】
【００１８】
本発明によれば、白熱電球の口金表面に厚さ０．０１〜０．５μｍの金（Ａｕ）めっきを施したので、長期間高温で点灯した場合でも口金表面が酸化等によって腐食しにくくなり、寿命到達後の白熱電球をソケットからの容易に取り外すことが可能となる。
【発明を実施するための最良の形態】
【００１９】
以下、本発明電球の実施の形態を図１を参照して説明する。図１は一般照明用電球１０を拡大して示す正面図である。
【００２０】
図中１はＰＳ３５型のガラスバルブ、２はこのバルブ１の開口端部に封着されたフレヤステム３を有するマウントである。このステム３は、ステム管３Ｔの一端側に一対のリード線４，４、ケーングラス３Ｃおよび排気管（図示しない。）を気密に植設した圧潰封止部３Ｓを形成しているとともにケーングラス３Ｃの先端部にモリブデン線などの高融点金属線の一端を植設したアンカー５からなる。
【００２１】
また、６は１１０Ｖ６０Ｗ用の二重コイル状フィラメントで、タングステン素線を巻回した単コイル６Ｓをさらに巻いた二重コイル状の発光部６Ｃを有し、この発光部６Ｃの中間には二重コイル状部の約１〜２ターン分の長さを単コイル６Ｓのままとした支持部（飛び部）６Ｔが形成してある。また、コイル状をなす発光部６Ｃの両端には同様に素線のままとしたレグ部６Ｌ，６Ｌが形成してある。
【００２２】
そして、この二重コイル状フィラメント６は、その両端のレグ部６Ｌ，６Ｌが上記リード線４，４の先端部分を折曲げ形成したフックに挟圧あるいは先端部分に溶接等の手段で継線されているとともに中間の支持部６Ｔにアンカー線５の多端側に形成したループ部５Ｒが巻き付けられた逆Ｖ字形をなすＣＣ−２型のマウントを構成している。すなわちフィラメント６は単コイル６Ｓからなるレグ部６Ｌ，６Ｌおよび接続部６Ｔがそれぞれ支持部７Ｌ，７Ｌおよびループ部５Ｒによって支持されている。本実施形態の場合、フィラメント６の全長２３ｍｍ、発光部６ｃ，６ｃの長さはそれぞれ１１ｍｍ、タングステンの素線の径は０．０４９ｍｍ、タングステン素線の全長は約５０２ｍｍのものを使用している。
【００２３】
また、上記バルブ１内にはキセノン（Ｘｅ）が９０容積％の不活性ガスと残部窒素ガス（Ｎ２）との混合ガスが常温で約８２．６ｋＰａの圧力封入されている。また、バルブの内容積は２４．０ｃｍ３〜４９．０ｃｍ３である。
【００２４】
また、図中８はバルブ１端部の封着部に接着剤等を介し接合された口金で、上記リード線４，４と連接した外部リード線と接続している。そして、上記構成の電球１０は、図示しないソケット等に装着して通電され、リード線４，４を介し接続したフィラメント６の二重コイル状の発光部６Ｃ，６Ｃは高温となって発光しバルブ１外に光放射をする。
【００２５】
口金８は、ねじ込みタイプのいわゆるＥ形口金であって、ねじが形成されたシェル部、頂部のアイレット部およびシェル部とアイレット部との間を絶縁する絶縁部からなるが、キセノンガスが混合された高効率ランプであることが消費者から認識可能なように、口金８のシェル部を従来の銀色ではなく、金色等に色付けするのが好ましい。口金８のシェルは真鍮製であり、この外表面にニッケル鍍金することで表面が銀色に見えるが、このニッケル層の表面に０．０１〜０．５μｍ、好ましくは０．０１〜０．１μｍの金（Ａｕ）鍍金を施して、外観上金色のシェルを実現することができる。この金メッキの膜厚が０．０１μｍ未満だと酸化等の腐食を抑制する効果が低減するとともに金色が薄くて良好に視認でないので好ましくない。また、金メッキの膜厚が０．５μｍを超えるとメッキがはがれやすく、またコストも上昇するので不可である。なお、金メッキの下地層はニッケルに限らず、導電性を有する鍍金可能な金属であればよい。
【００２６】
次に図４を参照して照明装置の実施形態を説明する。本実施形態は、照明器具９に蒸気の電球１０が組込みまれ使用される。図３において９１は筐体を形成する基体、９２は基体９１に設けられたソケット、９３は基体９１に取付けられたセード、グロー部や反射体、９４はソケット９２に接続した給電線で、上記ソケット９２に上記電球１０の口金８が装着されている。
【００２７】
このような構成の照明装置（照明器具）９は、給電線９４を介し通電すると、ソケット９２に装着した電球１０が点灯する。そして、この電球１０は、上述したようにコイル状フィラメント６の熱損失が少なく、良好な発光特性および寿命を得ることができる。
【図面の簡単な説明】
【００２８】
【図１】本発明の白熱電球の実施例を示す一部切欠正面図である。
【符号の説明】
【００２９】
１０：電球、１：ガラスバルブ、６：フィラメント、９：照明装置、９１：基体、９２：ソケット。
【図１】
2006222048.tif 000003